【手続補正書】
【提出日】平成17年10月25日(2005.10.25)
【手続補正１】
【補正対象書類名】明細書
【補正対象項目名】特許請求の範囲
【補正方法】変更
【補正の内容】
【特許請求の範囲】
【請求項１】
所定の無線通信基地局との間で無線波を介して通信データの送受を行う無線通信端末において、
上記無線通信基地局から送信される上記無線波を受信する受信手段と、
上記無線通信基地局が定期的に送信するビーコンの送信タイミングに同期して、所定の受信間隔毎に上記受信手段を休止状態から受信状態に復帰させて上記ビーコンを受信させる間欠受信動作を行わせる受信制御手段と、
上記無線通信端末に接続され当該無線通信端末を介して通信データの送受を行う情報処理装置が実行中のアプリケーションプログラムが使用する通信データのデータ帯域に応じて、上記受信制御手段による上記間欠受信動作の受信間隔を制御する受信間隔制御手段と
を具えることを特徴とする無線通信端末。
【請求項２】
複数の上記アプリケーションプログラムそれぞれについて、当該アプリケーションプログラムが使用する上記通信データの上記データ帯域に応じて設定された上記間欠受信動作の上記受信間隔を記憶した受信間隔設定記憶手段と、
上記情報処理装置が実行中の上記アプリケーションプログラムを認識するアプリケーションプログラム認識手段と
を具え、
上記受信間隔制御手段は、上記アプリケーションプログラム認識手段が認識した上記実行中のアプリケーションプログラムに対応する上記受信間隔を上記受信間隔設定記憶手段から取得し、当該取得した受信間隔に基づいて上記受信制御手段による上記間欠受信動作の受信間隔を制御する
ことを特徴とする請求項１に記載の無線通信端末。
【請求項３】
上記受信間隔制御手段は、上記無線通信基地局と上記無線通信端末との間における所定時間当たりの通信データ量を測定し、当該測定した所定時間当たりの通信データ量に応じて、上記受信制御手段による上記間欠受信動作の受信間隔を制御する
ことを特徴とする請求項１に記載の無線通信端末。
【請求項４】
所定の無線通信基地局との間で無線波を介して通信データの送受を行う無線通信端末の通信制御方法において、
上記無線通信基地局が定期的に送信するビーコンの送信タイミングに同期して、所定の受信間隔毎に受信手段を休止状態から受信状態に復帰させて上記ビーコンを受信させる間欠受信動作を行わせる受信制御ステップと、
上記無線通信端末に接続され当該無線通信端末を介して通信データの送受を行う情報処理装置が実行中のアプリケーションプログラムが使用する通信データのデータ帯域に応じて、上記間欠受信動作の受信間隔を制御する受信間隔制御ステップと
を具えることを特徴とする通信制御方法。
【請求項５】
上記情報処理装置が実行中の上記アプリケーションプログラムを認識するアプリケーションプログラム認識ステップ
を具え、
上記受信間隔制御ステップは、
複数の上記アプリケーションプログラムそれぞれについて、当該アプリケーションプログラムが使用する上記通信データの上記データ帯域に応じて設定された上記間欠受信動作の上記受信間隔を記憶した受信間隔設定記憶手段から、上記アプリケーションプログラムステップで認識した上記実行中のアプリケーションプログラムに対応する上記受信間隔を上記受信間隔設定記憶手段から取得し、当該取得した受信間隔に基づいて上記間欠受信動作の受信間隔を制御する
ことを特徴とする請求項４に記載の通信制御方法。
【請求項６】
上記無線通信基地局と上記無線通信端末との間における所定時間当たりの通信データ量を測定する通信データ量測定ステップ
を具え、
上記受信間隔制御ステップは、上記通信データ量測定ステップで測定した上記所定時間当たりの通信データ量に応じて上記受信制御手段による上記間欠受信動作の受信間隔を制御する
ことを特徴とする請求項４に記載の通信制御方法。
【請求項７】
所定の無線通信基地局との間で無線波を介して通信データの送受を行う無線通信端末に、
上記無線通信基地局が定期的に送信するビーコンの送信タイミングに同期して、所定の受信間隔毎に受信手段を休止状態から受信状態に復帰させて上記ビーコンを受信させる間欠受信動作を行わせる受信制御ステップと、
上記無線通信端末に接続され当該無線通信端末を介して通信データの送受を行う情報処理装置が実行中のアプリケーションプログラムが使用する通信データのデータ帯域に応じて、上記間欠受信動作の受信間隔を制御する受信間隔制御ステップと
を実行させる通信制御プログラム。
【請求項８】
上記情報処理装置が実行中の上記アプリケーションプログラムを認識するアプリケーションプログラム認識ステップ
を具え、
上記受信間隔制御ステップは、
複数の上記アプリケーションプログラムそれぞれについて、当該アプリケーションプログラムが使用する上記通信データの上記データ帯域に応じて設定された上記間欠受信動作の上記受信間隔を記憶した受信間隔設定記憶手段から、上記アプリケーションプログラムステップで認識した上記実行中のアプリケーションプログラムに対応する上記受信間隔を上記受信間隔設定記憶手段から取得し、当該取得した受信間隔に基づいて上記間欠受信動作の受信間隔を制御する
ことを特徴とする請求項７に記載の通信制御プログラム。
【請求項９】
上記無線通信基地局と上記無線通信端末との間における所定時間当たりの通信データ量を測定する通信データ量測定ステップ
を具え、
上記受信間隔制御ステップは、上記通信データ量測定ステップで測定した上記所定時間当たりの通信データ量に応じて上記受信制御手段による上記間欠受信動作の受信間隔を制御する
ことを特徴とする請求項７に記載の通信制御プログラム。
【手続補正２】
【補正対象書類名】明細書
【補正対象項目名】００１９
【補正方法】変更
【補正の内容】
【００１９】
【課題を解決するための手段】
かかる課題を解決するため本発明においては、所定の無線通信基地局との間で無線波を介して通信データの送受を行う無線通信端末において、無線通信基地局から送信される無線波を受信する受信手段と、無線通信基地局が定期的に送信するビーコンの送信タイミングに同期して、所定の受信間隔毎に受信手段を休止状態から受信状態に復帰させてビーコンを受信させる間欠受信動作を行わせる受信制御手段と、無線通信端末に接続され当該無線通信端末を介して通信データの送受を行う情報処理装置が実行中のアプリケーションプログラムが使用する通信データのデータ帯域に応じて、受信制御手段による間欠受信動作の受信間隔を制御する受信間隔制御手段とを無線通信端末に設けた。
【手続補正３】
【補正対象書類名】明細書
【補正対象項目名】００４２
【補正方法】変更
【補正の内容】
【００４２】
ステップＳＰ３において、起動していたアプリケーションプログラムが終了していないと判断した場合、このことはノートパソコン４で実行中のアプリケーションプログラムに変化が無いことを表しており、このときＣＰＵ１１はステップＳＰ７に移る。これに対してステップＳＰ３において、起動していたアプリケーションプログラムが終了したと判断した場合、ＣＰＵ１１はステップＳＰ４に移る。
【手続補正４】
【補正対象書類名】明細書
【補正対象項目名】００４９
【補正方法】変更
【補正の内容】
【００４９】
これに対してステップＳＰ５において、現在の省電力レベルと検索結果の省電力レベルとが同じ場合、受信制御手段及び受信間隔制御手段としてのＣＰＵ１１はステップＳＰ７に移り、省電力設定を変更することなくステップＳＰ１に戻る。